(57)【特許請求の範囲】
【請求項１】
軸組と、該軸組に取り付けた窓サッシ枠と、該窓サッシ枠を囲繞するように張設した外壁パネルと、該窓サッシ枠上方に位置して取付金具を介して取り付けられた窓シャッタ−とからなり、該取付金具は窓シャッタ−のシャッタ−ケ−スを取着する本体部と該本体部の下端側より窓サッシ竪枠上端部位に沿って下方に延出する延出部とからなり、該取付金具の延出部を該窓サッシ竪枠を介して該軸組に固着することで、該外壁パネルは移動調整可能な状態で該軸組と該取付金具との間に挾持されることを特徴とする窓シャッタ−ユニット体。
【請求項２】
取付金具の本体部は仮想鉛直線に対して外壁パネル側へ若干後傾していることを特徴とする請求項１に記載の窓シャッタ−ユニット体。
【請求項３】
取付金具の延出部は窓サッシ枠の左右に設けたガイドレ−ルによって隠蔽されることを特徴とする請求項１、２いずれかに記載の窓シャッタ−ユニット体。
【発明の詳細な説明】
【０００１】
【発明の属する技術分野】
本発明は、住宅建物の窓等に設置される窓シャッタ−に係り、詳しくは、建物躯体に対する窓シャッタ−の取付構造、及び軸組と窓サッシ枠と外壁パネルと窓シャッタ−とを予め取付けた状態で出荷するようにした窓シャッタ−ユニットに関するものである。
【０００２】
【従来の技術】
従来、鉄骨構造住宅については、図１（ａ）に示すように軸組となる鉄骨ａに、サッシｂ、パネル外壁ｃを現場で組付け、現場で隣接する外壁パネル同士の目地調整を行っている。また、近年、軸組となる外部側の鉄骨材にサッシｂ、外壁パネルｃを予め工場内で取り付けて、現場に出荷することも行われている。このものにおいては、現場において外壁パネルｃを取り外すことができるので、外壁パネルｃを上下左右方向に移動させて目地調整を容易に行うことができる。
【０００３】
しかしながら、かかる外壁にさらに窓シャッタ−本体まで取り付けて出荷することを考えると、窓シャッタ−を引掛金具ｄを介して外壁パネルｃと鉄骨ａに固定した場合には、図１（ｂ）に示すように、引掛金具ｄは外壁パネルｃを貫通する螺子ｅによって鉄骨ａに固着されるので、外壁パネルｃを現場において取り外すことが困難であり、外壁パネルｃの目地調整が出来なくなってしまう。
【０００４】
【発明が解決しようとする課題】
本発明は、かかる不具合を解決するために創案されたものであって、工場において、軸組を構成する鉄骨に、窓サッシ枠、外壁パネルのみならず窓シャッタ−をも取り付けて出荷した場合であっても、あるいは現場で窓シャッタ−を取り付けた後であっても、現場において外壁パネルの目地調整を容易に行うことができるような窓シャッタ−の取付構造および窓シャッタ−ユニット体を提供することを目的とするものである。
【０００５】
【課題を解決するための手段】
かかる課題を達成するために本発明が採用して技術手段は、窓シャッタ−ユニット体において、軸組と、該軸組に取り付けた窓サッシ枠と、該窓サッシ枠を囲繞するように張設した外壁パネルと、該窓サッシ枠上方に位置して取付金具を介して取り付けられた窓シャッタ−とからなり、該取付金具は窓シャッタ−のシャッタ−ケ−スを取着する本体部と該本体部の下端側より窓サッシ竪枠上端部位に沿って下方に延出する延出部とからなり、該取付金具の延出部を該窓サッシ竪枠を介して該軸組に固着することで、該外壁パネルは移動調整可能な状態で該軸組と該取付金具との間に挾持されることを特徴とするものである。
【０００７】
すなわち、取付金具を外壁パネルを介することなく軸組に固着することで、該外壁パネルは該取付金具の固着（例えば螺子による固着）の影響を受けない状態で該軸組と該取付金具との間に挾持されており、現場において外壁パネルの移動調整を良好に行うことができる。したがって、窓シャッタ−を取り付けた後であっても、あるいは工場において、軸組を構成する鉄骨に、窓サッシ枠、外壁パネルのみならず窓シャッタ−をも取り付けて出荷した場合であっても、窓シャッタ−や取付金具を外すことなく、現場における該外壁パネルの移動調整が可能となる。
【０００８】
好ましくは、取付金具の本体部は仮想鉛直線に対して外壁パネル側へ若干後傾していることを特徴とするものである。こうすることで、取付金具の前倒傾向を防止することができる。尚、取付金具の上方部位をシャッタ−ケ−スの側方部位からの支持手段によって支持することで、前倒を防止するようにしてもよい。
【０００９】
好ましくは、取付金具の延出部を窓サッシ枠の左右枠の屋外側に立設したガイドレ−ルによって隠蔽するのがよく、延出部を有する取付金具を採用するものでありながら、延出部が外観を損ねることがない。尚、窓サッシ枠竪枠にガイドレ−ル下地材を備えたものにおいては、ガイドレ−ル下地材に延出部が外側から重合するようにして装着される。
【００１０】
【発明の実施の形態】
本発明の実施の形態を図面に基づいて説明する。図２は窓シャッタ−の縦断面図、図３は横断面図であって、軸組を構成する鉄骨材１には窓開口部を形成する窓サッシ枠２が取着してあり、窓サッシ枠２を囲繞するように外壁パネル３が張設してある。尚、外壁パネル３はクリップ状の取付金具によって軸組に仮止めされており、現場において外壁パネル３の上下左右方向の調整移動が可能である。窓サッシ枠２は上枠２ａ、下枠２ｂ、左右の竪枠２ｃから形成された四周枠であり、四周枠内に窓開口部を形成している。下枠２ｂには室内側に位置して摺動レ−ル２０ｂが形成されており、窓開口部は、窓サッシ枠２の室内側に引き違い状に摺動自在に設けた図示しない扉体によって開閉される。
【００１１】
窓開口部上方には窓シャッタ−４のシャッタ−ケ−ス５が装着されており、シャッタ−ケ−ス５内にはシャッタ−カ−テン６が巻装されている。窓サッシ枠２の左右の竪枠２ｃの屋外側にはガイドレ−ル７が立設されており、シャッタ−カ−テン６がガイドレ−ル７に案内されながら降下して窓開口部を閉鎖するようになっている。尚、窓サッシ枠２の下枠２ｂの屋外側には水切板８が設けてある。
【００１２】
シャッタ−ケ−ス５は長さ方向両側部を構成する左右のブラケット９と、ブラケット９に対して装着されるケ−ス本体１０からなり、左右のブラケット９間には巻取シャフト１１が軸架されると共に、左右のブラケット９は取付金具１２を介して躯体側に装着されるようになっている。図６は一側のブラケット９であって、ブラケット９の全体形状を説明するために用いる。ブラケット９はシャッタ−ケ−ス５の側面形状と略同じ形状を有する面部９ａと面部９ａに対して鉛直状に延出する側部９ｂとからなり、ブラケット９は側部９ｂに切欠形成した係止部９０ｂを介して取付金具１２に取着するようになっている。ブラケット９の面部９ａには巻取シャフト１１の端部の支持部９０ａが設けてある。尚、図３において、符号１１ａは巻取シャフト芯を示している。
【００１３】
シャッタ−ケ−ス５の本体１０はケ−ス上板１０ａとケ−ス前板１０ｂとを有し、ケ−ス上板１０ａは後方（躯体側）に向かって緩やかに上昇する傾斜面となっており、後端部位には段部１０ｃが形成されている。側面視におけるケ−スの隅部にはケ−スの長さ方向に延出するケ−スアングル材１０ｄが設けてある。尚、シャッタ−ケ−スの構成や形状は図示のものに限定されるものではなく、取付金具１２を介して躯体側に取着するものであればよい。
【００１４】
取付金具１２は特に図４、図５に示すように、全体として縦長状の形状を有し、縦長の平板状の本体部１２ａと、本体部１２ａの下端より端縁に余端部を残して本体部１２ａの面に対して鉛直状に若干持ち出して形成した段部１２０ａと、段部１２０ａの端部よりさらに下方に向かって延出してなる縦長平板状の延出部１２ｂと、本体部１２ａおよび延出部１２ｂの側部より面部に対して鉛直状に延出してなる側片１２ｃと、本体部１２ａの下端の余端部より面部に対して鉛直状に延出してなる支承片１２ｄと、本体部１２ａの面部の表面側に上下に所定間隔を存して形成した係止突片１２ｅとからなり、本体部１２ａの面部の裏面側には側片１２ｃに近接して細長状の水密材１２ｆが設けてある。また、図５（ｂ）に示すように、取付金具１２の本体部１２ａは後方（外壁パネル側）に向かって若干傾斜状になっている。尚、図５（ａ）における符号１２ｇはコ−ド孔である。支承片１２ｄはブラケット９の折曲片９０ｃに対して螺子止めされ、吹き上げを防止する。
【００１５】
取付金具１２の延出部１２ｂは窓サッシ枠２の左右の竪枠２ｃに沿って延出すると共に、複数の螺子孔１２０ｂが穿設されており、取付金具１２は複数の螺子１３によって、竪枠２ｃおよび軸組を構成する鉄骨材１に固着されている。詳しくは、ガイドレ−ル下地材７ａが竪枠２ｃに沿って立設されており、取付金具１２の本体部１２ａが外壁パネル３の表面に当接すると共に、延出部１２ｂはガイドレ−ル下地材７ａの面部に当接している。複数の螺子１３の内で螺子１３ａは延出部１２ｂ、ガイドレ−ル下地材７ａ、竪枠２ｃ、鉄骨材１を貫通しており、他の螺子１３ｂは延出部１２ｂ、ガイドレ−ル下地材７ａ、竪枠２ｃを貫通している。既述のように延出部１２ｂの上端（本体部１２ａの下端）には段部１２０ａが形成されているので、延出部１２ｂの面部は本体部１２ａの面部に対して若干持ち出し状になっており、段部１２０ａがガイドレ−ル下地材７ａやサッシ等の厚さを吸収できるようになっている。
【００１６】
このように構成された窓シャッタ−ユニットを用いた窓シャッタ−の設置について説明する。まず、工場内において、軸組を構成する鉄骨１に窓サッシ枠２を取り付けると共に、窓サッシ枠２を囲繞するように外壁パネル３を張設し、窓サッシ枠２の左右竪枠２ｃにガイドレ−ル下地材７ａを設け、取付金具１２の本体部１２ａを外壁パネル３に重合させると共に、延出部１２ｂをガイドレ−ル下地材７ａの上端部位に重合させ、螺子１３によって、延出部１２ｂとガイドレ−ル下地材７ａと竪枠２ｃと鉄骨１とを固着する。そして、取付金具１２の本体部１２ａの係止突片１２ｅにブラケット９の係止部９０ｂを係止させて窓シャッタ−を装着することで窓シャッタ−ユニットを形成し、この状態で出荷する。
【００１７】
窓シャッタ−ユニットは現場において構造体に組付けられる。窓シャッタ−ユニットの状態では、取付金具１２を固着する螺子１３は外壁パネル３を貫設することはないので、外壁パネル３は取付金具１２の固着の影響を受けることがなく、窓シャッタ−４や取付金具１２を取り外すことなく、現場において外壁パネル３を上下左右方向に移動させることで微妙な目地調整を行うことができる。目地調整を行った後は、ブラケット９の上端部位から外壁パネル３にかけてビス（図示せず）を打つことでブラケット９と外壁パネル３とを止着すると共に、段部１０ｃにはコ−キング材（図示せず）を充填する。尚、ガイドレ−ル下地材７ａに対してガイドレ−ル７を装着することで、ガイドレ−ル７の上端部位が取付金具１２の延出部１２ｂを隠蔽するようになっている。
【００１８】
【発明の効果】
本発明によれば、取付金具を外壁パネルを介することなく軸組に固着することで、該外壁パネルは該取付金具の固着の影響を受けないので、窓シャッタ−を取り付けた後でも、あるいは工場内で窓シャッタ−を事前に取り付けた形で出荷した場合であっても、現場における外壁パネルの目地調整を容易に行うことができる。また、外壁パネルの仕上げの凹凸が深い場合であっても、取付金具の固定は外壁パネルではなく、サッシ枠を介して行うので、外壁パネルの仕上げの影響を受けることなく螺子止めを良好に行うことができる。
【図面の簡単な説明】
【図１】（ａ）軸組、サッシ、外壁パネルの取付けの従来例を示す図である。
（ｂ）窓シャッタ−をユニットとして出荷する場合における、従来例を示す図である。
【図２】本発明に係る窓シャッタ−の取付構造（窓シャッタ−ユニットを設置した状態）を示す縦断面図である。尚、取付金具の延出部は図２では示されていない。
【図３】本発明に係る窓シャッタ−の取付構造（窓シャッタ−ユニットを設置した状態）を示す横断面図である。
【図４】本発明に係る取付金具の取付構造を示す図であって、（ａ）は正面図および断面図、（ｂ）は分解斜視図である。
【図５】本発明に係る取付金具を示す図であって、（ａ）は正面図、（ｂ）は側面図、（ｃ）は下側から見た図である。
【図６】一側のブラケットを示す図であり、（ａ）は側面図、（ｂ）は図において右側から見た後面図である。
【符号の説明】
１    鉄骨材
２    窓サッシ枠
２ｃ  窓サッシ竪枠
３    外壁パネル
４    窓シャッタ−
５    シャッタ−ケ−ス
７    ガイドレ−ル
７ａ  ガイドレ−ル下地材
１２  取付金具
１２ａ  本体部
１２ｂ  延出部
【図１】
0003584390.tif 000002
【図２】
0003584390.tif 000003
【図３】
0003584390.tif 000004
【図４】
0003584390.tif 000005
【図５】
0003584390.tif 000006
【図６】
0003584390.tif 000007